(57)【特許請求の範囲】
【請求項１】
下肢部を覆うレッグウォーマーであって、保温布で形成した展開可能な保温部材と、該保温部材を装着者の下肢部に装着した状態において保温部材内の上下方向の略全長に亘って挿入されると共に前記下肢部の略全周に対して弾性的に装着される弾性部材とより構成し、かつ、前記保温部材の端部が互いに一部において重なり合うようにすることで装着者の下肢部太さの相違を吸収できるようにしたことを特徴とするレッグウォーマー。
【請求項２】
前記弾性部材が前記保温部材に対して長手方向に複数個に分割されていることを特徴とする請求項１記載のレッグウォーマー。
【請求項３】
前記保温部材に他の保温部材と一体化するための面ファスナーを設けたことを特徴とする請求項１および２記載のレッグウォーマー。
【発明の詳細な説明】
【０００１】
【発明の属する技術分野】
本発明は下肢への装着、取外しの着易さ、保温性、審美性に優れたレッグウォーマーに関する。
【０００２】
【従来の技術】
事務職員の如く、長時間に亘りデスクワークを続ける者にとって、下肢部の冷えは大きな悩みとなっていた。特に、冷房の強くなる夏の時期は下肢部に冷気が集中し、また冬季の暖房時にあっては暖気が上方へ集中するため、下肢部の冷えは略一年中に及んでいた。
【０００３】
そこで、このような下肢部の冷えを防止するものとして、保温布を円筒状に形成したレッグウォーマーが開発され市販されていが、来客者と接触する際、レッグウォーマーを装着したままでの格好では見栄えが悪くレッグウォーマーを取外しする必要があった。
【０００４】
【発明が解決しようとする課題】
ところで、従来の円筒状のレッグウォーマーは足先から下肢部に履くものであるので、前記来客時の時などの場合には、急いで靴を脱いでレッグウォーマーを足先側に引っ張って外し、その後、再び靴を履くといった面倒があり、また、接客が終了した後は、再び靴を脱いでレッグウォーマーを履き、再び靴を履くといった面倒な作業が必要であるといった問題があった。
【０００５】
本発明は前記した問題点を解決せんとするもので、その目的とするところは、靴を履いたまま、あるいは着座状態のまま装着、取外しが容易にできる装着、取外しの容易性、保温性、審美性を兼ね備えたレッグウォーマーを提供することにある。
【０００６】
【課題を解決するための手段】
本発明のレッグウォーマーは前記した目的を達成せんとするもので、請求項１の手段は、下肢部を覆うレッグウォーマーであって、保温布で形成した展開可能な保温部材と、該保温部材を装着者の下肢部に装着した状態において保温部材内の上下方向の略全長に亘って挿入されると共に前記下肢部の略全周に対して弾性的に装着される弾性部材とより構成し、かつ、前記保温部材の端部が互いに一部において重なり合うようにすることで装着者の下肢部太さの相違を吸収できるようにしたものである。
【０００７】
また、前記弾性部材が前記保温部材に対して長手方向に複数個に分割されていてもよく、さらに、前記保温部材に他の保温部材と一体化するための面ファスナーを設けることが望ましい。
【０００８】
【発明の実施の形態】
以下、本発明に係るレッグウォーマーの実施の形態を図面を参照しつつ詳細に説明する。
１は足首からふくら脛を覆う長さで、かつ、足首からふくら脛に密着可能な太さとなるナイロンフリースの起毛素地からなる略円筒状の保温部材、２は保温部材１の内部に収納された熱可塑性樹脂板からなる弾性部材である。
なお、弾性部材２は必ずしも保温部材１の長さ方向全体の大きさとする必要はない。
【０００９】
また、表側に平織物にウレタンコーティングした防水布、裏側にナイロンフリースの起毛素材を用いた袋状の保温部材１としても良く、また、弾性部材２の熱可塑性樹脂の薄板にはメタクリル樹脂、ポリエステル、ポリカーボネート等の樹脂素材を用いることが好ましい。
【００１０】
そして、前記保温部材１内に前記弾性部材２を収納した全体が前記した円筒状の太さとなるように、しかも、円筒状の少なくとも保温部材の端部１ａ，１ｂが互いに一部において重なり合うように構成する。
【００１１】
次に、レッグウォーマーの製造方法について説明するに、第１の方法としては、保温部材１を袋状に縫製した状態において、該保温部材１内に円筒状に形成した弾性部材を挿入し、その後に、保温部材１の開口部を縫着する。  また、第2の方法としては、弾性部材１を袋状に縫製した状態において、弾性部材２であるメタクリル樹脂の平板状薄板を前記保温部材１内に収納し縫製した後、加熱成型して弾性部材２を円筒状に形成して、全体として円筒状としても良い。
なお、弾性部材を装脱自在となるように保温部材を形成することにとって保温部材のクリーニングが容易になる。
【００１２】
前記保温部材１における表面の所望個所（図示のものは端部１ａ）に面ファスナー３を縫製あるいは貼着することによって、他の保温部材１′に縫製あるいは貼着されている面ファスナー３′（図２参照）と接合しておくことによって、一対の状態で保管しておくことが可能となるので保管、管理が簡単になる。
【００１３】
また、前記一対の保温部材１，１′のそれぞれの表面四隅に面ファスナー３，３′を縫製あるいは貼着し、該一対の保温部材１，１′を前記四隅において接合することで弾性部材２が平坦な状態となるので、より保管、管理が容易なものとなる。
【００１４】
次に、本発明のレッグウォーマーの装着方法について説明する。
着座状態で保温部材１の端部１ａ，１ｂを摘んで広げ、下肢に巻回させた状態で手を離すと、内部の弾性部材２の弾性力によって円筒状に戻るので下肢に固定することができる。また、取外すには、同じく保温部材１の端部１ａ，１ｂを摘んで広げ下肢から外せる。
【００１５】
さらに、面ファスナー３が縫製されているものにあっては、面ファスナーで一対の保温部材１を接合した状態で、該面ファスナーで接合した部分を摘んで保温部材１を引き上げることにより容易に取外すことができ、かつ、一対の保温部材はそのままの状態で置かれることとなるので、保管、管理が容易なものとなる。
【００１６】
なお、前記した実施の形態は、弾性部材２を保温部材１と略同じ大きさの場合について説明したが、図３に示すように、芯になる弾性部材２を保温部材１の長手方向に沿って複数個に分割すると共に、円周方向の長さの異なる弾性部材２′を用いることで、下肢の部分的な太さの状態に合わせた形態、つまり膝部はやや細く、ふくらはぎ部は太く、足首部は細くなるように形成することによって下肢部にフィットさせることができる。
【００１７】
本発明におけるレッグウォーマーの保温部材１の主素材としては、通常用いられる合成繊維、若しくは天然繊維からなる布材を用いることができるが、好ましくは、毛布、起毛素材、フリース、ファー（毛皮調素材）、キルティングなどの保温性の高い素材がよい。
【００１８】
また、表側に防水性素材、裏側に保温性素材を配した仕立てとすることにより、コーヒーやお茶、食事などを膝の上にこぼしても身体まで濡れることがない。防水性素材としては、ポリエチレンテレフタレート、ポリプロピレンテレフタレート、ポリブチレンテレフタレートなどのポリエステル繊維、ナイロン６，ナイロン６６などのポリアミド繊維からなる布材を用いる。さらに、こうした布材にアクリルコーティングやウレタンコーティング、各種ラミネート、撥水加工などを施して防水性を向上させたものや、高密度に織布することにより防水性を向上させたような布材を用いることができる。
【００１９】
【発明の効果】
本発明におけるレッグウォーマーは、保温布を円筒状に形成した保温部材と、該保温部材内に円筒形状を保つ程度の弾性を有する弾性部材とより構成し、前記保温部材を下肢部に装着した状態において前記弾性部材によって前記下肢部にフィットするようにしたので、接客など急にレッグウォーマーを取外ししなければならない際、靴を履いたまま、あるいは、着座状態のまま装着、取外しが容易に行える。
【００２０】
また、弾性部材を長手方向に沿って分割し、かつ、長さを異ならしめて下肢にフィットさせることができるので、保温性に優れ、装着したままでの動きも軽快であることからオフィスでの使用に最も適している。
【００２１】
さらに、保温部材の所望個所に面ファスナーを取付けることにより、一対のレッグウォーマーが分離することがなく、これにより、保管、管理が容易になり、また、面ファスナーを四隅に取付けることにより、一対のレッグウォーマーを平坦な状態とすることができるので、より保管、管理が簡単に行える等の効果を有するものである。
【図面の簡単な説明】
【図１】本件発明にかかるレッグウォーマーの構成を示した斜視図
【図２】同上レッグウォーマーを装着した状態を示す参考図
【図３】本件発明にかかるレッグウォーマーの他の実施例の構成を示した斜視図
【符号の説明】
１    保温部材
２    弾性部材
３    面ファスナー
【図１】
0003841703.tif 000002
【図２】
0003841703.tif 000003
【図３】
0003841703.tif 000004